(57)【要約】【課題】  屋外勾配屋根構造の意匠性の低下を招くことなく、屋根開口の周縁が外力によって回転することを抑制することができる屋外勾配屋根構造を提供する。【解決手段】屋外勾配屋根構造１は、勾配梁５に支持される屋外勾配屋根構造１であって、２つの前記勾配梁５の間に光を取り込む屋根開口３が形成され、前記屋根開口３よりも水下側における前記勾配梁５の間に架設されるフレーム材６と、前記フレーム材６に固定されて前記屋根開口３の水下側の縁に向かって延びる腕木７と、前記腕木７に支持されて前記屋根開口３の水下側の縁を形成する下縁部材８と、を備える。【選択図】図１
2020183638.tif 000002
【特許請求の範囲】
【請求項１】
勾配梁に支持される屋外勾配屋根構造であって、
２つの前記勾配梁の間に光を取り込む屋根開口が形成され、
前記屋根開口よりも水下側における前記勾配梁の間に架設されるフレーム材と、
前記フレーム材に固定されて前記屋根開口の水下側の縁に向かって延びる腕木と、
前記腕木に支持されて前記屋根開口の水下側の縁を形成する下縁部材と、
を備える、
ことを特徴とする屋外勾配屋根構造。
【請求項２】
前記フレーム材は、
前記勾配梁の間に架設される水平な母屋と、
前記母屋と平行に距離を空けて当該母屋の水上側に形成され、且つ、前記勾配梁の間に架設される繋ぎ材と、
前記母屋及び前記繋ぎ材を接続する接続材と、
を有する、
ことを特徴とする請求項１に記載の屋外勾配屋根構造。
【請求項３】
前記腕木は、その基端部が前記繋ぎ材に固定され、
前記接続材は、当該繋ぎ材の長さ方向における前記腕木の基端部が固定された位置で前記繋ぎ材及び前記母屋の間に架設される中間接続材を含む、
ことを特徴とする請求項２に記載の屋外勾配屋根構造。
【請求項４】
前記接続材は、さらに、前記繋ぎ材及び前記母屋の両端の位置でそれぞれ前記繋ぎ材及び前記母屋の間に架設される側端接続材を含む、
ことを特徴とする請求項３に記載の屋外勾配屋根構造。
【請求項５】
前記屋根開口よりも水下側で勾配梁を支持する柱が形成され、
当該柱は、前記繋ぎ材が固定された位置における勾配梁を支持する、
ことを特徴とする請求項２から請求項４のいずれかに記載の屋外勾配屋根構造。
【請求項６】
前記勾配梁の梁せいは、屋根材が敷設される野地板と勾配屋根の下面となる軒裏面材との間の距離よりも短い、
ことを特徴とする請求項５に記載の屋外勾配屋根構造。
【請求項７】
前記柱は柱化粧材に囲まれており、当該柱化粧材は上端が屋根勾配に沿って斜めに切断されて、前記軒裏面材に接続する、
ことを特徴とする請求項６に記載の屋外勾配屋根構造。
【請求項８】
前記勾配梁から前記屋根開口の側縁に向かって延びる側腕木と、
前記側腕木に支持されて前記屋根開口の側縁を形成する側縁部材と、
前記勾配梁の前記側腕木が固定された位置と反対側の位置に一端が固定されて前記屋根開口と反対側に向かって延びており、前記勾配梁に隣接する別の勾配梁に他端が固定される側繋ぎ材と、
を備える、
ことを特徴とする請求項１から請求項７のいずれかに記載の屋外勾配屋根構造。
【発明の詳細な説明】
【技術分野】
【０００１】
本発明は、屋外に張り出して形成される屋外勾配屋根構造に関し、例えばピロティ、アルコーブ、ベランダの上方に形成され、自然光を取り入れることができる屋外勾配屋根構造に関する。
【背景技術】
【０００２】
従来より、ピロティやアルコーブ部分に自然光が十分に射し込むようにするために、当該ピロティやアルコーブを覆う屋外勾配屋根構造を貫通するライトウエルとよばれる屋根開口を設けて、ピロティやアルコーブの上方を開放した構造が知られている（例えば特許文献１）。この構造においては、屋根開口が設けられた部分には勾配梁を通すことができないので、屋外勾配屋根構造の屋根開口の水下側部分が風等の外力によって回転方向に捩れが生じやすい。そこで、屋根開口の水下側の縁に沿って梁せいの大きな水平梁を通し、腕木を介して水平梁と屋外勾配屋根構造の水下側部分とを接合することで、当該屋外勾配屋根構造の水下側部分が回転することを防止している。
【０００３】
また、建物の外周に沿って屋内側に吹き抜け状空間が形成され、その外壁部に庇を敷設した構造であって、庇から受けるトルクに対する建物の躯体の耐力を確保するために吹き抜け状空間の控え梁を架設した構造が提案されている（例えば特許文献２）。
【先行技術文献】
【特許文献】
【０００４】
【特許文献１】特開２０００−１１０２９７号公報
【特許文献２】特開２０００−８７４９２号公報
【発明の概要】
【発明が解決しようとする課題】
【０００５】
ところで、屋外勾配屋根構造において屋根開口の水下側の縁に沿って梁せいの大きな水平梁を設けると、勾配屋根の裏面に梁が突出することとなり、意匠性が低下するおそれがある。
【０００６】
そこで、本発明は屋外勾配屋根構造の意匠性の低下を招くことなく、屋根開口の周縁が外力によって回転することを抑制することができる屋外勾配屋根構造を提供することを目的とする。
【課題を解決するための手段】
【０００７】
本発明の第一の屋外勾配屋根構造は、勾配梁に支持される屋外勾配屋根構造であって、２つの前記勾配梁の間に光を取り込む屋根開口が形成され、前記屋根開口よりも水下側における前記勾配梁の間に架設されるフレーム材と、前記フレーム材に固定されて前記屋根開口の水下側の縁に向かって延びる腕木と、前記腕木に支持されて前記屋根開口の水下側の縁を形成する下縁部材と、を備えることを特徴としている。
【０００８】
本発明の第二の屋外勾配屋根構造は、前前記フレーム材は、前記勾配梁の間に架設される水平な母屋と、前記母屋と平行に距離を空けて当該母屋の水上側に形成され、且つ、前記勾配梁の間に架設される繋ぎ材と、前記母屋及び前記繋ぎ材を接続する接続材と、を有することを特徴としている。
【０００９】
本発明の第三の屋外勾配屋根構造は、前記腕木は、その基端部が前記繋ぎ材に固定され、前記接続材は、当該繋ぎ材の長さ方向における前記腕木の基端部が固定された位置で前記繋ぎ材及び前記母屋の間に架設される中間接続材を含むことを特徴としている。
【００１０】
本発明の第四の屋外勾配屋根構造は、前記接続材は、さらに、前記繋ぎ材及び前記母屋の両端の位置でそれぞれ前記繋ぎ材及び前記母屋の間に架設される側端接続材を含むことを特徴としている。
【００１１】
本発明の第五の屋外勾配屋根構造は、前記屋根開口よりも水下側で勾配梁を支持する柱が形成され、当該柱は、前記繋ぎ材が固定された位置における勾配梁を支持することを特徴としている。
【００１２】
本発明の第六の屋外勾配屋根構造は、前記勾配梁の梁せいは、屋根材が敷設される野地板と勾配屋根の下面となる軒裏面材との間の距離よりも短いことを特徴としている。
【００１３】
本発明の第七の屋外勾配屋根構造は、前記柱は柱化粧材に囲まれており、当該柱化粧材は上端が屋根勾配に沿って斜めに切断されて、前記軒裏面材に接続することを特徴としている。
【００１４】
本発明の第八の屋外勾配屋根構造は、前記勾配梁から前記屋根開口の側縁に向かって延びる側腕木と、前記側腕木に支持されて前記屋根開口の側縁を形成する側縁部材と、前記勾配梁の前記側腕木が固定された位置と反対側の位置に一端が固定されて前記屋根開口と逆側に向かって延びており、前記勾配梁に隣接する別の勾配梁に他端が固定される側繋ぎ材と、を備えることを特徴としている。
【発明の効果】
【００１５】
本発明の第一の屋外勾配屋根構造によると、２つの勾配梁の間に形成される屋根開口よりも水下側における勾配梁の間にフレーム材が架設され、当該フレーム材に固定されて屋根開口の水下側の縁に向かって延びる腕木と、前記腕木に支持されて前記屋根開口の水下側の縁を形成する下縁部材と、を備えるので、勾配梁に架設されたフレーム材によって腕木及び下縁部材が支持されており、屋根開口の水下側の周縁部が自重、積雪、又は風圧などの荷重によって回転することを抑制することができる。
【００１６】
本発明の第二の屋外勾配屋根構造によると、フレーム材は、勾配梁の間に水平な母屋及び繋ぎ材が架設されており、屋根開口の水下側の周縁部に近い繋ぎ材と遠い位置の母屋とが接続材で接続されているので、屋根開口の水下側の周縁部に回転方向に外力が加わった場合であっても、フレーム材が一体となって反力を生じさせるので当該周縁部の回転を抑制することができる。
【００１７】
本発明の第三の屋外勾配屋根構造によると、フレーム材から屋根開口の水下側の縁に向かって延びる腕木の基端部が繋ぎ材に固定されており、接続材は、繋ぎ材の長さ方向における腕木の基端部が固定された位置で繋ぎ材及び母屋の間に架設される。したがって、屋根開口の水下側の周縁部に配置される腕木と繋ぎ材及び母屋の間に架設される接続材とが屋根勾配方向の直線上に並んで配置されることとなり、屋根開口の水下側の周縁部に加わる回転方向の外力が腕木及び接続材を介して母屋に伝わるので、周縁部の回転を抑制することができる。
【００１８】
本発明の第四の屋外勾配屋根構造によると、接続材は、さらに、繋ぎ材及び母屋の両端の位置でそれぞれ繋ぎ材及び母屋の間に架設されるので、フレーム材は繋ぎ材、母屋、及び両端の接続材で矩形に形成されることとなり、屋根開口の水下側の周縁部に加わる回転方向の外力をフレーム材の面で受けて、周縁部の回転を抑制することができる。
【００１９】
本発明の第五の屋外勾配屋根構造によると、屋根開口よりも水下側で勾配梁を支持する柱が形成されており、柱は、繋ぎ材が固定された位置で勾配梁を支持するので、当該繋ぎ材は勾配梁の間に架設されることで、柱の柱頭の間に架設されることとなり、フレーム材に加わる荷重を、勾配梁及び柱によって受けることができる。
【００２０】
本発明の第六の屋外勾配屋根構造によると、勾配梁の梁せいが、野地板と軒裏面材との間の距離よりも短いので勾配梁が軒裏に露出することなく、野地板と軒裏面材との間に収まることとなり、軒裏面の意匠性を向上させることができる。
【００２１】
本発明の第七の屋外勾配屋根構造によると、柱は柱化粧材に囲まれており、当該柱化粧材は上端が屋根勾配に沿って斜めに切断されて軒裏面材に接続するので、柱の柱頭に垂れ壁などを形成する必要がなく、軒裏面の意匠性を向上させることができる。
【００２２】
本発明の第八の屋外勾配屋根構造によると、勾配梁から屋根開口の側縁に向かって側腕木が延びており、当該側腕木に屋根開口の側縁を形成する側縁部材が支持されるととともに、勾配梁の側腕木が固定された位置と反対側の位置に一端が固定されて前記屋根開口と逆側に向かって延びており、前記勾配梁に隣接する別の勾配梁に他端が固定される側繋ぎ材を備えるので、勾配梁を挟んで逆側に延びる側繋ぎ材によって屋根開口の側縁側の周縁部に配置される勾配梁と、屋根開口から離れた位置に配置され前記勾配梁に隣接する別の勾配梁と、が一体となる。これによって、屋根開口の側縁側の周縁部に外力が加わって側腕木に回転方向の加重が加わった場合に、側繋ぎ材及び互いに隣接する２本の勾配梁によって当該荷重を受けることができ、側腕木の回転を抑制することができる。
【図面の簡単な説明】
【００２３】
【図１】屋外勾配屋根構造が形成される建物の一例を示す省略斜視図。
【図２】勾配梁の水上側の軸柱材との接合部分を説明する図。
【図３】屋根開口の水上側及び水下側の周縁部の構造を説明する図。
【図４】図３における水下側の周縁部の拡大図。
【図５】勾配梁と、屋根開口の水下側のフレーム材、腕木、及び柱の配置を説明する斜視図。
【図６】勾配梁からフレーム材及び腕木を取り外した状態を示す斜視図。
【図７】フレーム材の繋ぎ材及び母屋を勾配梁に接合する状態を説明する平面図。
【図８】柱の柱頭を勾配梁に接合する状態を説明する図。
【図９】柱の柱頭を勾配梁に接合した構造を説明する図。
【図１０】屋根開口の側縁側の周縁部の構造を説明する斜視図。
【図１１】側腕木、側縁部材、及び側繋ぎ材の構成を説明する断面図。
【発明を実施するための形態】
【００２４】
以下、本発明の屋外勾配屋根構造１の実施形態について各図を参照しつつ説明する。屋外勾配屋根構造１は、例えば戸建住宅などの建物２３の屋外側に張り出して形成され、建物２３に付帯した屋外付帯空間２の屋根を形成する屋外勾配屋根構造１である。本実施形態における屋外勾配屋根構造１は、図１に示すように外壁から突出して形成される下屋屋根の構造であり、その下方に例えばアルコーブなどの建物２３に付帯した屋外付帯空間２が形成されている。
【００２５】
なお、屋外勾配屋根構造１は下屋屋根のように外壁から突出して形成されるものに限定されるものではなく、図示しないが、建物２３の勾配屋根をそのまま屋外側に延長して形成される軒屋根状のものであってもよい。また、屋外勾配屋根構造１の下方に形成される建物２３に付帯した屋外付帯空間２は、外壁の凹部に形成されるアルコーブに限定されるものではなく、ベランダ、テラス、ピロティ、ポーチ、濡れ縁、庭などのように建物２３に沿って屋外側に形成され、上方に屋外勾配屋根構造１が設けられる他の屋外付帯空間２であっても良い。なお、図１においては切妻屋根の建物２３を例示しているが、建物２３の屋根は寄棟やその他の屋根形状であってもよい。
【００２６】
屋外勾配屋根構造１には、屋外付帯空間２に光を取り入れるために吹き抜け状に貫通するライトウェルとよばれる矩形の屋根開口３が形成されている。また屋外勾配屋根構造１は、屋根開口３よりも水下側に当該屋外勾配屋根構造１を支持する柱４が形成されている。柱４は屋根開口３の水下側で、図５に示すように、屋根開口３の両側に形成されている勾配梁５を支持している。柱４は独立柱であってもよく、屋根開口３に隣接する外壁内部に配置される柱であってもよい。
【００２７】
屋外勾配屋根構造１は、複数の平行に配置された勾配梁５に支持されており、２本の勾配梁５の間に屋根開口３を形成する構造である。屋外勾配屋根構造１は、図４及び図５に示すように、屋根開口３の水下側であり、且つ、２つの勾配梁５の間に架設されるフレーム材６と、フレーム材６に支持されて屋根開口３の水下側の縁に向かって延びる腕木７と、腕木７に支持されて屋根開口３の水下側の縁を形成する下縁部材８と、を備えている。また、屋外勾配屋根構造１は、図１０及び図１１に示すように、屋根開口３の側方に、勾配梁５から屋根開口３の側縁に向かって延びる側腕木９と、側腕木９に支持されて屋根開口３の側縁を形成する側縁部材１０と、勾配梁５の側腕木９が固定された位置と反対側の位置に一端が固定されて屋根開口３と逆側に向かって延びており、勾配梁５に隣接する別の勾配梁５ｂに他端が固定される側繋ぎ材１１と、を備えている。
【００２８】
勾配梁５は、図５に示すように、２本の溝形鋼をその溝が互いに逆向きに開放され、ウエブ同士が相対向するように配置し、その間に図示しないスペーサプレートを挟んでボルトで接合して形成されている。勾配梁５は、複数本が平行に配置されており、２本の勾配梁５の間に屋根開口３が形成されている。
【００２９】
勾配梁５は、図２に示すように、基端が建物２３の外壁内に設けられた建物２３の躯体を構成する軸柱材１２に固定された梁基端部プレート１３に固定される。勾配梁５の屋根開口３よりも水上側の位置には屋根開口３を挟んで隣接する勾配梁５との間に水平材１４が架設されている。この水平材１４には、図３に示すように、母屋取付金具１５が固定され、この母屋取付金具１５に屋根開口３の水上側の縁を形成する水上側母屋１６が固定されている。また、図９に示すように、勾配梁５は、屋根開口３の水下側で屋外に露出した独立の柱４に支持されている。勾配梁５の先端は、図３及び図４に示すように軒先母屋１７が母屋固定プレート１８を介して固定されている。勾配梁５の軒先には、図示しないが鼻隠し板及び雨樋がそれぞれ固定されている。
【００３０】
勾配梁５の梁せいは、図９に示すように、野地板１９と軒裏面材２０との間の長さよりも短く、軒裏面材２０から勾配梁５が露出することがない。勾配梁５の下面には軒裏面材２０の下地となる野縁２１が固定されており、野縁２１にサイディングの軒裏面材２０が固定されている。また、勾配梁５の上面には、野地板１９が敷設されており、その上に図示しないルーフィング材が設けられ、屋根材２２が敷設されている。なお、勾配梁５は本実施形態の図面上４寸勾配で記載されているが４寸勾配に限定されるものではない。屋外勾配屋根構造１を外壁からより長い距離突出させる場合には、屋外勾配屋根構造１の下方に形成される屋外付帯空間２の高さを確保する為に例えば２．５寸勾配などのより緩やかな勾配が好ましい。
【００３１】
屋根開口３の水下側で２つの勾配梁５の間に架設されるフレーム材６は、図４から図７に示すように、勾配梁５の間に架設される水平な母屋６１と、母屋６１の水上側に形成されて勾配梁５の間に架設される繋ぎ材６２と、母屋６１及び繋ぎ材６２を接続する複数の接続材６３，６４とを有する。
【００３２】
母屋６１は、水上側が開口し水下側にウェブが配置されるリップ溝形鋼で形成されている。母屋６１は、図５及び図６に示すように、２本の勾配梁５の互いに対向する側にそれぞれ設けられた受け金具５１にボルトで接合されて２本の勾配梁５の間に架設されている。受け金具５１は、図７に示すように、勾配梁５に溶接される端面板５２と、端面板５２の下縁から突出して形成されており母屋６１の下面を受ける下受板５３と、端面板５２の水下側の側縁から突出して形成されており母屋６１の水下側の面を受ける側受板５４をが一体形成されている。側受板５４には貫通するボルト挿入孔が形成されており、母屋６１を下受板５３に載置して、側受板５４のボルト挿入孔を通して母屋６１の側面をボルトで固定する。
【００３３】
また、繋ぎ材６２は、２本のリップ溝形鋼から構成されており、当該２本のリップ溝形鋼がウェブ側が対向するように繋ぎ合わされて形成さている。繋ぎ材６２は、２本の勾配梁５にそれぞれ設けられた固定金具５５によって両端が固定されて、２本の勾配梁５の間に架設されている。固定金具５５は、図７に示すように、基端板５６と、基端板５６の中心から突出する突出板５７とを有するＴ字状に形成されており、基端板５６が勾配梁５の溝内でウェブにボルト固定され、突出板５７が勾配梁５の溝内から突出して形成されている。突出板５７には繋ぎ材６２を固定するボルト孔５８が設けられており、繋ぎ材６２を構成する２本のリップ溝形鋼の間に突出板５７を挿入してボルトで固定することによって、繋ぎ材６２を２本の勾配梁５の間に架設している。
【００３４】
接続材６３，６４は、繋ぎ材６２の長さ方向における腕木７の基端部７１が固定された位置で繋ぎ材６２及び母屋６１の間に架設される中間接続材６３と、繋ぎ材６２及び母屋６１の両端の位置でそれぞれ繋ぎ材６２及び母屋６１の間に架設される２本の側端接続材６４と、を含む。中間接続材６３は、ウェブ同士を合わせた２本のリップ溝形鋼からなり、その両端が母屋６１及び繋ぎ材６２に溶接されている。中間接続材６３は１本に限定されるものではなく、フレーム材６が架設されている２本の勾配梁５の間に例えば５００ｍｍの等間隔で中間接続材６３が配置されている。
【００３５】
このように、屋根開口３よりも水下側における勾配梁５の間に架設されるフレーム材６が、屋根開口３の水下側の周縁部に近い位置に架設された繋ぎ材６２と、屋根開口３から離れた水下側に架設された母屋６１と、を接続材６３，６４で接続して一体化されているので、屋根開口３の水下側の周縁部に回転方向に外力が加わった場合であっても、フレーム材６が一体となって反力を生じさせるので当該周縁部の回転を抑制することができる。
【００３６】
また、本実施形態の屋外勾配屋根構造１によると、繋ぎ材６２及び母屋６１の両端の位置でそれぞれ繋ぎ材６２及び母屋６１の間に側端接続材６４が架設されるので、フレーム材６が繋ぎ材６２、母屋６１、及び両端の側端接続材６４で矩形に形成されることとなる。したがって、屋根開口３の水下側の周縁部に加わる回転方向の外力をフレーム材６の面で受けて、周縁部の回転を抑制することができる。
【００３７】
腕木７は、繋ぎ材６２の長さ方向における中間接続材６３が固定された位置の水上側の位置にその基端部７１が固定される。腕木７は図６に示すように、繋ぎ材６２の水上側の溝内に挿入されてウェブにボルトで固定される平板状の基端部７１と、基端部７１から水上側に延びる腕部７２と、腕部７２の先端に形成され屋根開口３の水下側の縁を形成する下縁部材８を支持する支持部７３とを有する。支持部７３は鉛直部７４と水平部７５とを有するアングル形状であり、鉛直部７４及び水平部７５にそれぞれボルト孔が形成されている。支持部７３の鉛直部７４には、破風鉄板を取り付ける木製の破風下地板８１がボルト固定され、支持部７３の水平部７５には片棟水切を取り付ける木製の片棟木下地８２がボルト固定される。本実施形態における破風下地板８１及び片棟木下地８２は、本発明における「下縁部材」である。
【００３８】
このように本実施形態の屋外勾配屋根構造１によると、下縁部材８である破風下地板８１及び片棟木下地８２を固定する腕木７と、繋ぎ材６２及び母屋６１の間に架設される中間接続材６３と、が屋根勾配方向の直線上に並んで配置されることとなり、屋根開口３の水下側の周縁部に加わる回転方向の外力が腕木７及び中間接続材６３を介して母屋６１に伝わるので、周縁部の回転を抑制することができる。
【００３９】
屋根開口３の両側に配置される２本の勾配梁５を支持する柱４は、本実施形態においては、図１に示すように一方が独立柱となっており、他方が外壁内に形成されている。なお、本発明の屋外勾配屋根構造１において柱４は両方とも独立柱であってもよい。柱４は、図示しないが、基礎上に立設されており、図５に示すように、フレーム材６の繋ぎ材６２が固定された位置における勾配梁５を下方から支持している。柱４の柱頭には、図８及び図９に示すように、柱頭固定プレート４１が形成されている。柱頭固定プレート４１にはボルト孔４４が形成されており、勾配梁５の２本の溝形鋼の間に柱頭固定プレート４１が挿入されてボルト接合することで柱４の柱頭に勾配梁５を接合している。柱４は、繋ぎ材６２が固定された位置で勾配梁５に接合されており、繋ぎ材６２を勾配梁５に接続する固定金具５５の基端板５６を固定するボルトが柱頭固定プレート４１を接合する役割も果たしている。
【００４０】
独立している柱４の外周には円柱状の柱化粧材４２が固定されている。柱化粧材４２は、その上端が屋根勾配に沿って斜めに切断されている。柱化粧材４２の上端はシーリング材４３を介して軒裏面材２０に接続している。屋外勾配屋根構造１の下方から軒裏を見た場合に、軒裏面材２０と柱化粧材４２とが直接突き合わされており、軒裏に垂れ壁などの突出構造がなく、すっきりとした意匠性のよい軒裏とすることができる。また、垂れ壁などの突出構造がないことで、視覚的に空間の連続性が途切れることがなく、連続した外観とすることができる。
【００４１】
屋根開口３の側縁側の周縁部には、図１０及び図１１に示すように、勾配梁５から屋根開口３の側縁に向かって側腕木９が形成されている。側腕木９は勾配梁５に接続される接続プレート９１と、当該接続プレート９１から屋根開口３の側縁に向かって突出する突出腕部９２と、突出腕部９２の先端に形成され屋根開口３の側縁を形成する側縁部材１０が固定される側縁部固定プレート９３とを有する。側縁部固定プレート９３には力板９４が固定され、当該力板９４を介して側縁部材１０である側部破風下地板１０ａ及び破風１０ｂが固定される。
【００４２】
そして、勾配梁５の側腕木９の接続プレート９１が固定された位置と反対側の位置には側繋ぎ材１１の一端が固定されている。側繋ぎ材１１は、屋根開口３と逆側に向かって延びており、屋根開口３と逆側で勾配梁５に隣接する別の勾配梁５ｂに他端が固定されて、勾配梁５と別の勾配梁５ｂとの間に架設されている。
【００４３】
これによって、勾配梁５を挟んで側腕木９と反対側に延びる側繋ぎ材１１により、屋根開口３の側縁に配置される勾配梁５と、屋根開口３から離れた位置に配置される別の勾配梁５ｂと、が一体となる。したがって、屋根開口３の側縁側の周縁部に外力が加わって側腕木９に回転方向の加重が加わった場合に、側繋ぎ材１１及び互いに隣接する２本の勾配梁５，５ｂによって当該荷重を受けることができ、側腕木９の回転を抑制することができる。
【００４４】
本発明の実施の形態は上述の形態に限ることなく、本発明の思想の範囲を逸脱しない範囲で適宜変更することができることは云うまでもない。
【産業上の利用可能性】
【００４５】
本発明に係る屋外勾配屋根構造１は、例えば、アルコーブ、ベランダ、テラス、ピロティ、ポーチ、濡れ縁、庭などの上方に配置される屋外勾配屋根構造１として好適である。
【符号の説明】
【００４６】
１      屋外勾配屋根構造
３      屋根開口
４      柱
５      勾配梁
５ｂ    別の勾配梁
６      フレーム材
７      腕木
８      下縁部材
９      側腕木
１０    側縁部材
１１    側繋ぎ材
６１    母屋
６２    繋ぎ材
６３    中間接続材（接続材）
６４    側端接続材（接続材）
【図１】
2020183638.tif 000003
【図２】
2020183638.tif 000004
【図３】
2020183638.tif 000005
【図４】
2020183638.tif 000006
【図５】
2020183638.tif 000007
【図６】
2020183638.tif 000008
【図７】
2020183638.tif 000009
【図８】
2020183638.tif 000010
【図９】
2020183638.tif 000011
【図１０】
2020183638.tif 000012
【図１１】
2020183638.tif 000013